(57)【要約】【課題】本発明の課題は、植物由来原料を用いつつ、耐罫割れ性、耐スクラッチ性、及び光沢を兼備する活性エネルギー線硬化型オフセットインキを提供することにある。【解決手段】本発明の解決手段は、（メタ）アクリレートモノマー（Ａ）、植物油変性（メタ）アクリレート（Ｂ）、ワックス（Ｃ）、光重合開始剤（Ｄ）、及びバインダー樹脂（Ｅ）を含有することを特徴とする活性エネルギー線硬化型オフセットインキに関するものである。【選択図】なし【特許請求の範囲】
【請求項１】
（メタ）アクリレートモノマー（Ａ）、植物油変性（メタ）アクリレート（Ｂ）、ワックス（Ｃ）、光重合開始剤（Ｄ）及びバインダー樹脂（Ｅ）を含有する事を特徴とする活性エネルギー線硬化型オフセットインキ。
【請求項２】
前記植物油変性（メタ）アクリレート（Ｂ）が、エポキシ化大豆油変性アクリレートであり、前記エポキシ化大豆油変性アクリレートの添加量がインキ全量の５〜２５質量％である請求項１に記載の活性エネルギー線硬化型オフセットインキ。
【請求項３】
前記（メタ）アクリレートモノマー（Ａ）が、ジペンタエリスリトールヘキサアクリレートとジペンタエリスリトールペンタアクリレートの混合物、ジトリメチロールプロパンテトラアクリレート、及びトリメチロールプロパンエチレンオキサイド変性トリアクリレートから成る群から選ばれる何れか１つ以上であり、これらの添加量の総量がインキ全量の５〜５０質量％である請求項１又は２に記載の活性エネルギー線硬化型オフセットインキ。
【請求項４】
前記ワックス（Ｃ）が、ポリエチレンワックス、エチレン−プロピレン共重合体ワックス、４フッ化エチレン樹脂ワックス、フィッシャー・トロプシュワックス、及びマイクロクリスタリンワックスから成る群から選ばれる何れか１つ以上であり、これらワックスの添加量の総量がインキ全量の０．１〜５質量％である請求項１〜３の何れか１つに記載の活性エネルギー線硬化型オフセットインキ。
【請求項５】
前記バインダー樹脂（Ｅ）が、ジアリルオルトフタレート樹脂、及び／又はジアリルイソフタレート樹脂であり、バインダー樹脂（Ｅ）の総量がインキ全量の５〜２５質量％である請求項１〜４に記載の活性エネルギー線硬化型オフセットインキ。
【請求項６】
基材上に請求項１〜５記載の活性エネルギー線硬化型オフセットインキの硬化物を有する事を特徴とする印刷物。
【発明の詳細な説明】
【技術分野】
【０００１】
本発明は、植物由来原料を用いた活性エネルギー線硬化型オフセットインキ、及び該インキを用いた印刷物に関する。
【背景技術】
【０００２】
活性エネルギー線で硬化する紫外線硬化型オフセットインキは、瞬間硬化の特性から、各種書籍印刷、美術印刷、シール・ラベル印刷、ビジネスフォーム印刷、パッケージ印刷等の分野で広く使用されている。
近年、地球温暖化対策や環境負荷低減を目的とした環境対応型製品の需要が高まりつつある中、オフセットインキ分野においても、二酸化炭素排出量削減の手段として、植物由来原料が注目されている。しかし、硬化不良、光沢不良等の課題があった。
【０００３】
一方で、中でもパッケージ印刷物は、印刷インキ塗膜の耐罫割れ性が要求される。
罫割れとは、印刷物を組み立てる際に、その折り目で塗膜が割れ、基材が露出してしまう現象である。耐罫割れ性はインキ塗膜の柔軟性と相関するものであり、柔軟性を高めすぎると硬化不良が、反対に硬化性を高めすぎると柔軟性が損なわれる傾向にある。
例えば、各種紫外線硬化性モノマーとエポキシ化大豆油アクリレートを用いたジメタアリルフタレート含有プレポリマーを含む光硬化樹脂組成物に関する発明がなされている（例えば、特許文献１）。
また、アクリレートモノマーと植物油変性（メタ）アクリレートを用いた活性エネルギー線硬化型インキ組成物に関する発明がなされている（例えば、特許文献２）。
しかし、これらの発明は上記課題を克服したものとは言えず、本発明は耐スクラッチ性、光沢等の活性エネルギー線硬化型オフセットインキに要求される基本性能を保持しつつ、硬化性と柔軟性を微妙に制御する事で耐罫割れ性をも保持することを特徴とする活性エネルギー線硬化型オフセットインキを提供するものである。
【先行技術文献】
【特許文献】
【０００４】
【特許文献１】特許４１３４８１３号
【特許文献２】特許６２３７４１０号
【発明の概要】
【発明が解決しようとする課題】
【０００５】
本発明の課題は、植物由来原料を用いつつ、耐罫割れ性、耐スクラッチ性、及び光沢を兼備する活性エネルギー線硬化型オフセットインキを提供することにある。更には、該インキを用いた印刷物を提供することにある。
【課題を解決するための手段】
【０００６】
本発明者等は、上記課題を解決すべく鋭意研究を重ねた結果、（メタ）アクリレートモノマー、植物油変性（メタ）アクリレート、ワックス、光重合開始剤、及びバインダー樹脂を含有する事で耐罫割れ性、耐スクラッチ性、及び光沢を兼備する活性エネルギー線硬化型オフセットインキが得られることを見出し、本発明を完成するに至った。
【０００７】
即ち、本発明は、（メタ）アクリレートモノマー（Ａ）、植物油変性（メタ）アクリレート（Ｂ）、ワックス（Ｃ）、光重合開始剤（Ｄ）、及びバインダー樹脂（Ｅ）を含有することを特徴とする活性エネルギー線硬化型オフセットインキに関する。
【０００８】
更に、本発明は、前記植物油変性（メタ）アクリレート（Ｂ）が、エポキシ化大豆油変性アクリレートであり、前記エポキシ化大豆油変性アクリレートの添加量がインキ全量の５〜２５質量％である活性エネルギー線硬化型オフセットインキに関する。
【０００９】
更に、本発明は、前記（メタ）アクリレートモノマー（Ａ）が、ジペンタエリスリトールヘキサアクリレートとジペンタエリスリトールペンタアクリレートの混合物、ジトリメチロールプロパンテトラアクリレート、及びトリメチロールプロパンエチンオキサイド変性トリアクリレートから成る群から選ばれる何れか１つ以上であり、これらの添加量の総量がインキ全量の５〜５０質量％である活性エネルギー線硬化型オフセットインキに関する。
【００１０】
更に、本発明は、前記ワックス（Ｃ）が、ポリエチレンワックス、エチレン−プロピレン共重合体ワックス、４フッ化エチレン樹脂ワックス、フィッシャー・トロプシュワックス、及びマイクロクリスタリンワックスから成る群から選ばれる何れか１つ以上であり、これらワックス（Ｃ）の添加量の総量がインキ全量の０．１〜５質量％である活性エネルギー線硬化型オフセットインキに関する。
【００１１】
更に、本発明は、前記バインダー樹脂（Ｅ）が、ジアリルオルトフタレートポリマー、及び／又はジアリルイソフタレートポリマーであり、バインダー樹脂（Ｅ）の総量がインキ全量の５〜２５質量％である活性エネルギー線硬化型オフセットインキに関する。
【００１２】
更に、本発明は、基材上に該活性エネルギー線硬化型オフセットインキの硬化物を有する印刷物に関する。
【発明の効果】
【００１３】
本発明の活性エネルギー線硬化型オフセットインキにより、植物由来原料を用いつつ、耐罫割れ性、耐スクラッチ性、及び光沢を兼備する活性エネルギー線硬化型オフセットインキを提供することが出来る。更には、該インキを用いた印刷物を提供することが出来る。
【発明を実施するための形態】
【００１４】
本発明の、活性エネルギー線硬化型オフセットインキは、（メタ）アクリレートモノマー（Ａ）、植物油変性（メタ）アクリレート（Ｂ）、ワックス（Ｃ）、光重合開始剤（Ｄ）、及びバインダー樹脂（Ｅ）を含有する事で目的とする本発明の効果を奏するものである。
【００１５】
本発明の活性エネルギー線硬化型オフセットインキで使用する(メタ)アクリレートモノマー（Ａ）について説明する。  尚、本発明において、「（メタ）アクリレート」とは、アクリレート及びメタクリレートの一方または両方をいい、「（メタ）アクリル化合物」とは、アクリル化合物及びメタクリル化合物」の一方または両方をいう。
（メタ）アクリレートモノマー（Ａ）としては、単官能（メタ）アクリレート、多官能（メタ）アクリレート、重合性オリゴマー等が挙げられる。
【００１６】
単官能（メタ）アクリレートとしては、例えば、エチル（メタ）アクリレート、ブチル（メタ）アクリレート、２−エチルヘキシル（メタ）アクリレート、ノニル（メタ）アクリレート、ラウリル（メタ）アクリレート、トリデシル（メタ）アクリレート、ヘキサデシル（メタ）アクリレート、オクタデシル（メタ）アクリレート、イソアミル（メタ）アクリレート、イソデシル（メタ）アクリレート、イソステアリル（メタ）アクリレート、シクロヘキシル（メタ）アクリレート、ベンジル（メタ）アクリレート、メトキシエチル（メタ）アクリレート、ブトキシエチル（メタ）アクリレート、フェノキシエチル（メタ）アクリレート、フェノキシジエチレングリコール（メタ）アクリレート、ノニルフェノキシエチル（メタ）アクリレート、テトラヒドロフルフリル（メタ）アクリレート、グリシジル（メタ）アクリレート、２−ヒドロキシエチル（メタ）アクリレート、２−ヒドロキシ−３−フェノキシプロピル（メタ）アクリレート、３−クロロ−２−ヒドロキシプロピル（メタ）アクリレート、ジエチルアミノエチル（メタ）アクリレート、ノニルフェノキシエチルテトラヒドロフルフリル（メタ）アクリレート、カプロラクトン変性テトラヒドロフルフリル（メタ）アクリレート、イソボルニル（メタ）アクリレート、ジシクロペンタニル（メタ）アクリレート、ジシクロペンテニロキシエチル（メタ）アクリレート等が挙げられる。
【００１７】
２官能以上の（メタ）アクリレートとしては、例えば、１，４−ブタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、２−ブチル−２−エチル−１，３−プロパンジオールジ（メタ）アクリレート、トリシクロデカンジメタノールジ（メタ）アクリレート、エチレングリコールジ（メタ）アクリレート、ジエチレングリコールジ（メタ）アクリレート、トリエチレングリコールジ（メタ）アクリレート、ジプロピレングリコールジ（メタ）アクリレート、トリプロピレングリコールジ（メタ）アクリレート等の２価アルコールのジ（メタ）アクリレート、ポリエチレングリコールジ（メタ）アクリレート、ポリプロピレングリコールジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールのポリ（メタ）アクリレート等の３価以上の多価アルコールのポリ（メタ）アクリレート、グリセリン１モルに３モル以上のエチレンオキサイドもしくはプロピレンオキサイドを付加して得たトリオールのトリ（メタ）アクリレート、トリメチロールプロパン１モルに３モル以上のエチレンオキサイドもしくはプロピレンオキサイドを付加して得たトリオールのジ又はトリ（メタ）アクリレート、ビスフェノールＡ１モルに４モル以上のエチレンオキサイドもしくはプロピレンオキサイドを付加して得たジオールのジ（メタ）アクリレート等のポリオキシアルキレンポリオールのポリ（メタ）アクリレート等が挙げられる。
【００１８】
重合性オリゴマーとしては、アミン変性ポリエーテルアクリレート、アミン変性エポキシアクリレート、アミン変性脂肪族アクリレート、アミン変性ポリエステルアクリレート、アミノ（メタ）アクリレートなどのアミン変性アクリレート、ポリエステル（メタ）アクリレート、ポリエーテル（メタ）アクリレート、ポリオレフィン（メタ）アクリレート、ポリスチレン（メタ）アクリレート、エポキシ（メタ）アクリレート、ウレタン（メタ）アクリレート等が挙げられる。  
【００１９】
中でも、２官能以上の（メタ）アクリレートにあたるジペンタエリスリトールヘキサアクリレートとジペンタエリスリトールペンタアクリレートの混合物 （ＤＰＨＡと略する場合がある）、ジトリメチロールプロパンテトラアクリレート（ＤＴＭＰＴＡと略する場合がある）、トリメチロールプロパン１モルに３モル以上のエチレンオキサイドを付加して得たトリオールのトリ（メタ）アクリレートであるトリメチロールプロパンエチレンオキサイド付加体トリ（メタ）アクリレートが良好な耐スクラッチ性を保ちつつ、前記植物油変性（メタ）アクリレート（Ｂ）と組み合わせることで「耐罫割れ性」を抑制できる点でより好ましい。前記トリメチロールプロパンエチレンオキサイド付加体トリ（メタ）アクリレートとしては、代表的なものとしてトリメチロールプロパンエチレンオキサイド（ＥＯ）変性（ｎ≒３）トリアクリレートが挙げられる。
前記したジペンタエリスリトールヘキサアクリレートとジペンタエリスリトールペンタアクリレートの混合物 （ＤＰＨＡ）、ジトリメチロールプロパンテトラアクリレート（ＤＴＭＰＴＡ）、及びトリメチロールプロパンエチレンオキサイド変性トリアクリレートからなる群から選ばれる何れか１つ以上である（メタ）アクリレートモノマー（Ａ）の総量が、インキ全量の５〜５０質量％の範囲が好ましく、より好ましくは１０〜４５質量％であり、３０〜４５質量％の範囲であれば更に好ましい。
【００２０】
本発明では、植物由来の原材料を用いた植物油変性（メタ）アクリレート（Ｂ）を本発明の活性エネルギー線硬化型オフセットインキで使用する事で、二酸化炭素排出量低減等の効果をもたらす。
なお、本発明において、植物油変性（メタ）アクリレート（Ｂ）であり、尚且つアクリレートモノマー（Ａ）でもあるアクリレートモノマーは、アクリレートモノマー（Ｂ）（植物油変性（メタ）アクリレート（Ａ）では無いものとする）である。
【００２１】
前記植物油変性（メタ）アクリレート（Ｂ）の中でも、エポキシ化植物油変性アクリレートが好ましい。
【００２２】
前記エポキシ化植物油変性アクリレートの反応原料であるエポキシ化植物油としては、例えば、エポキシ化大豆油、エポキシ化亜麻仁油、エポキシ化桐油、エポキシ化ひまし油、エポキシ化パーム油、エポキシ化綿実油、エポキシ化ツバキ油、エポキシ化オリーブ油、エポキシ化コーン油、エポキシ化やし油、及びエポキシ化サフラワー油などが挙げられる。これらを単独または２種類以上組み合わせて使用することができる。
これらのエポキシ化植物油の中でも、特に、エポキシ化大豆油、エポキシ化亜麻仁油、エポキシ化桐油、エポキシ化ひまし油から選ばれるものが好ましく、特にエポキシ化大豆油が好適である。
前記エポキシ化大豆油の具体例としては、ＰＨＯＴＯＭＥＲ３００５（ＩＧＭ  Ｒｅｓｉｎｓ  Ｂ．Ｖ．社製）、ＥＢ８６０、ＥＢ５８４８（ダイセル・オルネクス（株）社製）、ＭＩＲＡＭＥＲ  ＰＥ３１３０（ＭＩＷＯＮ社製）、ＬＡＲＯＭＥＲ  ＥＡ９１０１（ＢＡＳＦ社製）、ＣＮ１１１（ＳＡＲＴＯＭＥＲ社製）等を挙げることができ、これらは単独で使用してもよく、また２種以上を適宜組み合わせて使用してもよい。
【００２３】
これにより柔軟性に優れる前記エポキシ化大豆油変性アクリレートと、柔軟性に劣るジペンタエリスリトールヘキサアクリレートとジペンタエリスリトールペンタアクリレートの混合物 （ＤＰＨＡ）、ジトリメチロールプロパンテトラアクリレート（ＤＴＭＰＴＡ）、トリメチロールプロパンエチレンオキサイド変性トリアクリレート等と適量範囲で併用する事で、インキ塗膜の被膜強度と柔軟性のバランスをとる事ができ、耐罫割れ性と耐スクラッチ性を保持する事ができるものである。
【００２４】
本発明の活性エネルギー線硬化型オフセットインキでは、硬化皮膜の皮膜強度がやや十分でなくとも、ワックス（Ｃ）を添加することで耐スクラッチ性を保つ事ができる。前記ワックス（Ｃ）としては、ポリオレフィンワックス、パラフィンワックス、フィッシャー・トロプシュワックス、カルナバワックス、みつろう、マイクロクリスタリンワックス、酸化ポリエチレンワックス、アマイドワックスなどのワックス、ヤシ油脂肪酸や大豆油脂肪酸などを挙げることができる。
中でもポリオレフィンワックス、フィッシャー・トロプシュワックス、マイクロクリスタリンワックスが好ましく、ポリオレフィンワックスの具体例としてはポリエチレンワックス（ＳＨＡＭＲＯＣＫ  ＴＥＣＮＯＬＯＧＩＥ社製、Ｓ−３９４−Ｎ１等）、エチレン−プロピレン共重合体ワックス（ＳＨＡＭＲＯＣＫ  ＴＥＣＮＯＬＯＧＩＥ社製、Ｓ−３８１−Ｎ１等）、４フッ化エチレン樹脂ワックス（（株）喜多村社製  ＫＴＬ−４Ｎ等）が挙げられ、フィッシャー・トロプシュワックスの具体例としてはＳＡＳＯＬ社製  ＳＡＳＯＬ  ＷＡＸ  ＳＰＲＡＹ  ３０等、マイクロクリスタリンワックスの具体例をしては日本精蝋（株）社製  ＬＵＶＡＸ−２１９１等が挙げられ、好ましい。
前記ポリエチレンワックス、エチレン−プロピレン共重合体ワックス、４フッ化エチレン樹脂ワックス、フィッシャー・トロプシュワックス、及びマイクロクリスタリンワックスは単体で用いてもよいし、複数組み合わせて使用してもよい。
これらワックスの添加量の総量がインキ全量の０．１〜５質量％が好ましく、０．１質量％以上であれば、耐スクラッチ性を保持できる傾向にあり、５質量％以下であれば光沢性が保持できる傾向にある。
【００２５】
本発明の活性エネルギー線硬化型オフセットインキは、基材に印刷後、活性エネルギー線を照射することで硬化塗膜とすることができる。
前記活性エネルギー線としては、紫外線、電子線、α線、β線、γ線のような電離放射線であるが、具体的なエネルギー源又は硬化装置としては、例えば、殺菌灯、紫外線用蛍光灯、紫外線発光ダイオード（ＵＶ−ＬＥＤ）、カーボンアーク、キセノンランプ、複写用高圧水銀灯、中圧又は高圧水銀灯、超高圧水銀灯、無電極ランプ、メタルハライドランプ、自然光等を光源とする紫外線、又は走査型、カーテン型電子線加速器による電子線等が挙げられる。
【００２６】
前記活性エネルギー線として紫外線を使用する場合、添加する光重合開始剤（Ｄ）とし分子内開裂型光重合開始剤及び水素引き抜き型光重合開始剤が挙げられる。
前記分子内開裂型光重合開始剤としては、例えば、ジエトキシアセトフェノンのアセトフェノン系化合物；１−［４−（フェニルチオ）−，２−（Ｏ−ベンゾイルオキシム）］、１−［９−エチル−６−（２−メチルベンゾイル）−９Ｈ−カルバゾール−３−イル］−，１−（Ｏ−アセチルオキシム）等のオキシム系化合物、３，６−ビス（２−メチル−２−モルフォリノプロパノニル）−９−ブチルカルバゾール等のカルバゾール系化合物、ベンゾイン、ベンゾインメチルエーテル、ベンゾインイソプロピルエーテル等のベンゾイン系化合物；２−ベンジル−２−ジメチルアミノ−１−（４−モルフォリノフェニル）ブタン−１−オン、２−（ジメチルアミノ）−２−（４−メチルベンジル）−１−（４−モルフォリノフェニル）ブタン−１−オン、２−メチル−２−モルホリノ（（４−メチルチオ）フェニル）プロパン−１−オン、２−メチル−１−[４−（メチルチオ）フェニル]−２−モルフォリノプロパン−１−オン、２−ベンジル−２−ジメチルアミノ−１−（４−モルホリノフェニル）−ブタノン等のアミノアルキルフェノン系化合物；ビス（２，４，６−トリメチルベンゾイル）−フェニルフォスフィンオキサイド、２，４，６−トリメチルベンゾイルジフェニルフォスフィンオキサイド、ビス（２，６−ジメトキシベンゾイル）−２，４，４−トリメチル−ペンチルフォスフィンオキサイド等のアシルホスフィンオキシド系化合物；ベンジル、メチルフェニルグリオキシエステル等が挙げられる。
【００２７】
また、前記水素引き抜き型光重合開始剤については、ベンゾフェノン系化合物、チオキサントン系化合物、アミノベンゾフェノン系化合物等の光重合開始剤を使用してもよい。これらの光重合開始剤は、単独で用いることも、２種以上を併用することもできる。
【００２８】
前記光重合開始剤（Ｄ）の含有量の総計としては、インキ全量の３〜２０質量％の範囲が好ましい。３質量％以上であれば十分な硬化性を得ることができ、また、２０質量％以下であれば（メタ）アクリレートモノマーに対して溶解し、流動性を損ねる事も抑制できる。      
【００２９】
本発明の活性エネルギー線硬化型オフセットインキで使用するバインダー樹脂（Ｅ）としては、ポリウレタン樹脂、アミノ樹脂、フェノール樹脂、ポリアミド、セルロース誘導体、フッ素樹脂、ジアリルフタレート樹脂、ビニル系樹脂、ポリオレフィン、天然ゴム誘導体、アクリル樹脂、ケトンアルデヒド縮合樹脂、エポキシ樹脂、ポリエステル、ポリスチレン、アルキド樹脂、ロジン変性アルキド樹脂、アマニ油変性アルキド樹脂等が挙げられ、これらを単独で使用しても、複数を組合せて使用してもよい。  
中でもジアリルフタレート樹脂が好ましく、耐乳化適性、ロングランでの印刷適性を付与するために特に有用である。
ジアリルフタレート樹脂の例としては、ジアリルオルトフタレート（ダイソーダップＡダイソー社製）、ジアリルイソフタレート（ダイソーイソダップ  ダイソー社製）が挙げられる。
本発明の活性エネルギー線硬化型オフセットインキにおいて、ジアリルフタレート樹脂の含有量は、インキ全量の５〜２５質量％であることが好ましく、５〜２０質量％であることがより好ましい。
ジアリルフタレート樹脂の含有量が５質量以上であれば、十分なインキ粘度が得られ、印刷上、ドットゲインや汚れ等のトラブルが抑制できる傾向にある。一方で、ジアリルフタレート樹脂の含有量が２５質量％以下であれば、インキの流動性を著しく損なう事なく、十分な印刷適性を付与することができる。
【００３０】
本発明の活性エネルギー線硬化型オフセットインキは必要に応じて更に、光増感剤、酸化防止剤、重合禁止剤、シリコン系添加剤、顔料、染料等を含有しても良い。
【００３１】
前記顔料としては、公知慣用の無機顔料や有機顔料を使用することができる。
【００３２】
前記無機顔料としては、例えば、酸化鉄や、コンタクト法、ファーネス法、サーマル法等の公知の方法によって製造されたカーボンブラック等がある。
例えば、ラーベン１４、ラーベン４５０、ラーベン８６０Ｕｌｔｒａ、ラーベン１０３５、ラーベン１０４０、ラーベン１０６０Ｕｌｔｒａ、ラーベン１０８０Ｕｌｔｒａ、ラーベン１１８０、ラーベン１２５５（以上、ＢＩＲＬＡ  ＡＲＢＯＮ社製）、リーガル２５０Ｒ、リーガル４００Ｒ、リーガル３３０Ｒ、リーガル６６０Ｒ、モーグルＬ（以上、キャボット社製）、ＭＡ７、ＭＡ８、ＭＡ１１（以上、三菱化学社製）等を挙げることができ、これらは単独で使用してもよく、また２種以上を適宜組み合わせて使用してもよい。
【００３３】
前記有機顔料としては、例えば、キナクリドン顔料、キナクリドンキノン顔料、ジオキサジン顔料、フタロシアニン顔料、アントラピリミジン顔料、アンサンスロン顔料、インダンスロン顔料、フラバンスロン顔料、ペリレン顔料、ジケトピロロピロール顔料、ペリノン顔料、キノフタロン顔料、アントラキノン顔料、チオインジゴ顔料、ベンツイミダゾロン顔料、アゾ顔料等が挙げられる。これらの顔料は、単独で用いることも２種以上を併用することもできる。
【００３４】
イエローインキに使用される顔料の具体例としては、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。
【００３５】
また、マゼンタインキに使用される顔料の具体例としては、Ｃ．Ｉ．ピグメントレッド５、７、１２、４８（Ｃａ）、４８（Ｍｎ）、５７（Ｃａ）、５７：１、１１２、１２２、１２３、１４６、１６８、１７６、１８４、１８５、２０２、２０９、２６９等、Ｃ．Ｉ．ピグメントバイオレット１９等が挙げられる。
【００３６】
また、シアンインキに使用される顔料の具体例としては、Ｃ．Ｉ．ピグメントブルー１、２、３、１５、１５：３、１５：４、１６、２２、６０、６３、６６等が挙げられる。
【００３７】
本発明の活性エネルギー線硬化型オフセットインキで使用する印刷基材としては特に限定は無いが、例えばカタログ、ポスター、チラシ、ＣＤジャケット、ダイレクトメール、パンフレット、化粧品や飲料、医薬品、おもちゃ、機器等のパッケージ等の印刷に用いられる上質紙、コート紙、アート紙、模造紙、薄紙、厚紙等の紙、各種合成紙等に対し使用する事ができる。
ポリエステル樹脂、アクリル樹脂、塩化ビニル樹脂、塩化ビニリデン樹脂、ポリビニルアルコール、ポリエチレン、ポリプロピレン、ポリアクリロニトリル、エチレン酢酸ビニル共重合体、エチレンビニルアルコール共重合体、エチレンメタクリル酸共重合体、ナイロン、ポリ乳酸、ポリカーボネート等のフィルム又はシート、セロファン、アルミニウムフォイル、その他従来から印刷基材として使用されている各種基材に対しても特に問題はない。
また、金属基材、ガラス基材、紙基材、木材基材、繊維質基材等のその他の基材に用いてもよい。
【００３８】
本発明で述べる活性エネルギー線硬化型オフセットインキの製造は、従来の活性エネルギー線硬化型オフセットインキと同様に、前記体質顔料、（メタ）アクリレートモノマー、植物油変性（メタ）アクリレート、バインダー樹脂、ワックス、光重合開始剤、顔料、その他添加剤等を配合してミキサー等で撹拌混合し、三本ロールミル、ビーズミル等の分散機を用いて練肉することで製造される。
【実施例】
【００３９】
以下、実施例と比較例とにより、本発明を具体的に説明する。なお、以下実施例中にある部とは質量部を、％とは質量％を表す。
【００４０】
なお、本実施例において、重量平均分子量（Ｍｗ）は、ゲルパーミッションクロマトグラフ（ＧＰＣ）を用い、下記の条件により測定した値である。
【００４１】
測定装置  ；  東ソー株式会社製  ＨＬＣ−８２２０
カラム    ；  東ソー株式会社製ガードカラムＨＸＬ−Ｈ
＋東ソー株式会社製  ＴＳＫｇｅｌ  Ｇ５０００ＨＸＬ
＋東ソー株式会社製  ＴＳＫｇｅｌ  Ｇ４０００ＨＸＬ
＋東ソー株式会社製  ＴＳＫｇｅｌ  Ｇ３０００ＨＸＬ
＋東ソー株式会社製  ＴＳＫｇｅｌ  Ｇ２０００ＨＸＬ
検出器    ；  ＲＩ（示差屈折計）
データ処理：東ソー株式会社製  ＳＣ−８０１０
測定条件：  カラム温度  ４０℃
溶媒        テトラヒドロフラン
流速        １．０ｍｌ／分
標準      ；ポリスチレン
試料      ；樹脂固形分換算で０．４質量％のテトラヒドロフラン溶液をマイクロフィルターでろ過したもの（１００μｌ）
【００４２】
（実施例１：活性エネルギー線硬化型オフセット墨インキ（１）の調製）
アクリレートモノマーとしてアロニックスＭ−４００（ジペンタエリスリトールヘキサアクリレートとジペンタエリスリトールペンタアクリレートの混合物 （ＤＰＨＡ、東亜合成（株）社製）５５部、植物油アクリレートとしてエポキシ化大豆油変性アクリレートであるＰＨＯＴＯＭＥＲ３００５（ＩＧＭ  Ｒｅｓｉｎｓ  Ｂ．Ｖ．社製）５部、
バインダー樹脂としてジアリルイソフタレート樹脂であるダイソーダップＡ（ダイソー社製）樹脂１０部、エチレン−プロピレン共重合体ワックスとしてＳ−３８１−Ｎ１（ＳＨＡＭＲＯＣＫ  ＴＥＣＨＮＯＬＯＧＩＥ社製）２部、光重合開始剤としてα−アミノアルキルフェノン系光重合開始剤Ｏｍｎｉｒａｄ  ９０７（２−メチル−１−[４−（メチルチオ）フェニル]−２−モルフォリノプロパン−１−オン、数平均分子量２７９．４、ＩＧＭ  Ｒｅｓｉｎｓ  Ｂ．Ｖ．社製）８質量部、アルキルアミノベンゾフェノン化合物である４，４’−ビスジメチルアミノベンゾフェノン（大同化成工業株式会社製「ＥＡＢ−ＳＳ」）５部を６０℃で３時間混合した後、カーボンブラックであるラーベン１０６０パウダー（ＢＩＲＬＡ  ＣＡＲＢＯＮ社製）を１５部加え、ミキサー（単軸ディゾルバー）を用いて撹拌した後、配合物を３本ロールミルを用いて練肉し、活性エネルギー線硬化型オフセット墨インキ（１）を得た。
【００４３】
（実施例２〜２３：活性エネルギー線硬化型オフセット墨インキ（２）〜（２３）の調製）
表１〜３に示した組成及び配合量に変更した以外は、実施例１と同様の手順にて活性エネルギー線硬化型オフセット墨インキ（２）〜（２３）を得た。
【００４４】
（比較例１〜４：活性エネルギー線硬化型オフセット墨インキ（Ｈ１）〜（Ｈ４）の調製）
表４に示した組成及び配合量に変更した以外は、実施例１と同様の手順にて活性エネルギー線硬化型オフセット墨インキ（Ｈ１）〜（Ｈ４）を得た。
【００４５】
上記の実施例及び比較例で得られた活性エネルギー線硬化型オフセット墨インキを用いて、下記の評価を行った。
【００４６】
〔評価項目１：耐スクラッチ性〕
作成した活性エネルギー線硬化型オフセット墨インキを簡易展色機（ＲＩテスター、豊栄精工社製）を用い、インキ０．１０ｍｌを使用して、ＲＩテスターのゴムロール及び金属ロール上に均一に引き伸ばし、コートボール紙（王子マテリア社製ＵＦコート、米坪３５０ｇ／ｍ２）の表面に、墨濃度１．８（Ｘ−Ｒｉｔｅ社製「ＳｐｅｃｔｒｏＥｙｅ」濃度計で計測）で均一に塗布されるように展色し、印刷物を作製した。
前記の方法で得られた印刷物に紫外線（ＵＶ）照射を行い、インキ皮膜を硬化させた。水冷式ＵＶ−ＬＥＤ（中心発光波長３８５ｎｍ±５ｎｍＵＶ−ＬＥＤの出力５０％）およびベルトコンベアを搭載したＵＶ照射装置（アイグラフィックス社製）を使用し、印刷物をコンベア上に載せ、ＬＥＤ直下（照射距離９ｃｍ）を１５０ｍ／ｍｉｎで通過させた。硬化直後に各硬化物の硬化塗膜を爪で擦ることにより耐スクラッチ性を次の５段階にて目視評価した。
（評価基準）
５：爪スクラッチで傷がまったく発生せず、硬化性は最良である。
４：爪スクラッチで微小な傷が僅かに見られる。
３：爪スクラッチで傷が見られるが、使用できるレベルである。
２：爪スクラッチで傷が発生し、硬化性が十分であるとは言えない。
１：爪スクラッチで容易に傷が発生し、硬化性が最も悪い。
【００４７】
〔評価項目２：耐罫割れ性〕
耐スクラッチ性の評価試験と同等の手順にて活性エネルギー線硬化型オフセット墨インキを展色した印刷物の紫外線照射直後の硬化皮膜を、印刷表面に対して反対方向に１８０°の角度で折り曲げ、皮膜表面の状態を目視で確認し、次の５段階にて目視評価した。
（評価基準）
５：クラックが全く発生しない。
４：下地の原反が折り曲げ部分全体の１〜２５％未満の面積範囲で露出する。
３：下地の原反が折り曲げ部分全体の２５％以上〜５０％未満の面積範囲で露出が
見られるが、使用できるレベルである。
２：下地の原反が折り曲げ部分全体の５０％以上〜７５％未満の面積範囲で露出する。
１：折り曲げ部分が全体に白化する。
【００４８】
〔評価項目３：光沢〕
耐スクラッチ性の評価試験と同等の手順にて活性エネルギー線硬化型オフセット墨インキを展色した印刷物の紫外線照射、硬化後の印刷面の光沢値を６０°光沢計（ＢＹＫ  Ｇａｒｄｅｒ  ＧｍｂＨ製）で測定し、次の５段階で評価した。数値が高い程、光沢が良い事を示す。
（評価基準）
５：光沢値が７５以上である。
４：光沢値が６０以上  ７５未満である。
３：光沢値が５０以上  ６０未満であり、使用できるレベルである。
２：光沢値が４０以上  ５０未満である。
１：光沢値が４０未満である。
【００４９】
以下に、活性エネルギー線硬化型オフセット墨インキの各評価結果を示す。
【００５０】
【表１】
2020094136.tif 000002
【００５１】
【表２】
2020094136.tif 000003
【００５２】
【表３】
2020094136.tif 000004
【００５３】
【表４】
2020094136.tif 000005
表１〜４の数値は質量％である。各表に示す諸原料及び略語を以下に示す。
・アロニックスＭ−４００：ジペンタエリスリトールヘキサアクリレートとジペンタエリスリトールペンタアクリレートの混合物 （ＤＰＨＡ）、東亜合成（株）社製
・アロニックスＭ−４０８：ジトリメチロールプロパンテトラアクリレート（ＤＴＭＰＴＡ）、東亜合成（株）社製
・アロニックスＭ−３５０：トリメチロールプロパンエチレンオキサイド変性トリアクリレート、東亜合成（株）社製
・ＰＨＯＴＯＭＥＲ３００５：エポキシ化大豆油変性アクリレート、ＩＧＭ  Ｒｅｓｉｎｓ  Ｂ．Ｖ．社製
・ダイソーダップＡ：ジアリルオルトフタレート樹脂、平均重量分子量５．５万、（株）大阪ソーダ社製
・ダイソーイソダップ：ジアリルイソフタレート樹脂、平均重量分子量５万、（株）大阪ソーダ社製
・ラーベン１０６０パウダー：カーボンブラック、ＢＩＲＬＡ  ＣＡＲＢＯＮ社製
・Ｓ−３８１−Ｎ１：エチレン−プロピレン共重合体ワックス、ＳＨＡＭＲＯＣＫ  ＴＥＣＮＯＬＯＧＩＥ社製
・Ｓ−３９４−Ｎ１：ポリエチレンワックス、ＳＨＡＭＲＯＣＫ  ＴＥＣＮＯＬＯＧＩＥ社製
・ＫＴＬ−４Ｎ：４フッ化エチレン樹脂ワックス、（株）喜多村社製
・ＳＡＳＯＬ  ＷＡＸ  ＳＰＲＡＹ  ３０：フィッシャー・トロプシュワックス、ＳＡＳＯＬ社製
・ＬＵＶＡＸ−２１９１：マイクロクリスタリンワックス、日本精蝋（株）社製
・Ｏｍｎｉｒａｄ  ９０７：α−アミノアルキルフェノン系光重合開始剤、２−メチル−１−[４−（メチルチオ）フェニル]−２−モルフォリノプロパン−１−オン、ＩＧＭ  Ｒｅｓｉｎｓ  Ｂ．Ｖ．社製
・ＥＡＢ−ＳＳ：４，４’−ビス−（ジエチルアミノ）ベンゾフェノン、大同化成（株）社製
【００５４】
本発明の活性エネルギー線硬化型オフセットインキでは、植物由来原料を用いつつ、耐罫割れ性、耐スクラッチ性、及び光沢を兼備する結果となった。
【産業上の利用可能性】
【００５５】
本発明の活性エネルギー線オフセットインキ、及びそのインキを用いて印刷された印刷物は、食品・飲料・サニタリー・コスメ・おもちゃ・機器・医薬品等の紙器パッケージ用途や、書籍・チラシ・ポスター・カタログ・カード・ダイレクトメール・パンフレット・ＣＤジャケット・シールラベル等の商業印刷用途に幅広く展開され得る。